(57)【要約】【課題】座席ごとに照度センサーを設置することなく、複数の照明器具を調光することが可能な技術を提供する。【解決手段】調光システム１Ａは、天井面において、当該天井面を格子状に区画したときの各格子点に配置される照明装置１０と、各格子点の位置に対応して存在する各座席の在席状況を検出する人感センサー３０と、各格子点に配置される各照明装置１０それぞれと通信可能な全体制御装置５０とを備えている。そして、全体制御装置５０は、在席箇所の格子点を中心にした複数の格子点によって形成されるブロックを１グループとして、各在席箇所に応じて設定されるグループごとに、グループ内において減光対象となる照明装置１０についての調光情報を生成する調光情報生成部と、調光情報を送信する送信手段とを有している。また、各照明装置のうち、減光対象の照明装置１０は、受信した調光情報に基づいて調光を行う。【選択図】図１
2013232294.tif 000002
【特許請求の範囲】
【請求項１】
天井面において、当該天井面を格子状に区画したときの各格子点に配置される照明装置と、
前記各格子点の位置に対応して存在する各座席の在席状況を検出する検出手段と、
前記各格子点に配置される各照明装置それぞれと通信可能な制御装置と、
を備え、
前記制御装置は、
在席箇所の格子点を中心にした複数の格子点によって形成されるブロックを１グループとして、各在席箇所に応じて設定されるグループごとに、グループ内において減光対象となる照明装置についての調光情報を生成する調光情報生成手段と、
前記調光情報を送信する送信手段と、
を有し、
前記各照明装置のうち、減光対象の照明装置は、受信した前記調光情報に基づいて調光を行う調光システム。
【請求項２】
前記調光情報生成手段は、
前記各照明装置のうち、各在席箇所に応じて設定される各グループに含まれる各格子点の照明装置を、点灯照明として決定する決定手段と、
前記各グループごとに、グループ内の各格子点における照明装置のうち、当該グループ外の格子点における他の点灯照明に隣接する照明装置を、前記減光対象の照明装置として特定する特定手段と、
前記各グループごとに特定された前記減光対象の照明装置に関する、照明装置の定格出力に対する比率を示す調光比を前記調光情報として算出する第１調光処理手段と、
を有する請求項１に記載の調光システム。
【請求項３】
前記第１調光処理手段は、
減光対象の照明装置を定格出力で単独で点灯させたときの当該照明装置の位置する格子点における被照射面の照度を基準照度とした場合、減光対象の当該照明装置から与えられる前記被照射面の照度と、当該減光対象の照明装置に隣接した前記他の点灯照明から与えられる前記被照射面の照度とを加算して得られる複合照度が、前記基準照度に近づくように前記調光比を算出する請求項２に記載の調光システム。
【請求項４】
前記調光情報生成手段は、
或る格子点の照明装置を定格出力で単独で点灯させたときの当該格子点における被照射面の照度および当該格子点に隣接する各隣接格子点における被照射面の照度を、前記基準照度に対する第１照度比として予め保持し、
前記第１調光処理手段は、
前記第１照度比を用いて前記複合照度を取得し、当該複合照度が前記基準照度の第１照度比としての１に近づくように前記調光比を算出する請求項３に記載の調光システム。
【請求項５】
前記１グループとしてのブロックは、在席箇所の格子点と、当該格子点に隣接した８つの格子点とによって形成され、
前記調光情報生成手段は、
在席箇所に応じて設定される各グループにおいて、グループ内の全ての格子点において在席となる特定グループが存在するか否かを判定する判定手段と、
前記特定グループが存在する場合、当該特定グループの中心に位置する中心格子点の照明装置の調光比を前記調光情報として算出する第２調光処理手段と、
をさらに有し、
前記第２調光処理手段は、
前記特定グループ内のいずれかの格子点に隣接する格子点であって、当該特定グループに含まれない各格子点における点灯照明それぞれから与えられる、前記中心格子点における被照射面の累積照度を取得し、
前記第２調光処理手段は、
前記基準照度から前記累積照度を減算することによって得られる値の前記基準照度に対する比を、前記中心格子点の照明装置の調光比として算出する請求項３または請求項４に記載の調光システム。
【請求項６】
前記調光情報生成手段は、
或る格子点の照明装置を定格出力で単独で点灯させたときの当該格子点における被照射面の照度、および当該格子点に隣接した各隣接格子点を隣接して囲む各格子点における被照射面の照度を、前記基準照度に対する第２照度比として予め保持し、
前記第２調光処理手段は、
前記第２照度比を用いて前記累積照度を取得し、前記基準照度の第２照度比としての１から当該累積照度を減算することによって得られる値を前記中心格子点の照明装置の調光比として算出する請求項５に記載の調光システム。
【請求項７】
天井面において、当該天井面を格子状に区画したときの各格子点に配置される照明装置の調光方法であって、
ａ）前記各格子点の位置に対応して存在する各座席の在席状況を検出する工程と、
ｂ）在席箇所の格子点を中心にした複数の格子点によって形成されるブロックを１グループとして、各在席箇所に応じて設定される各グループごとに、グループ内において減光対象となる照明装置についての調光情報を生成する工程と、
ｃ）前記調光情報に基づいて、減光対象の照明装置の調光を行う工程と、
を備える調光方法。
【請求項８】
天井面において、当該天井面を格子状に区画したときの各格子点に配置される照明装置と、前記各格子点の位置に対応して存在する各座席の在席状況を検出する検出手段と、前記各格子点に配置される各照明装置それぞれと通信可能な制御装置とを備えた調光システムの前記制御装置に内蔵されたコンピュータに、
ａ）在席箇所の格子点を中心にした複数の格子点によって形成されるブロックを１グループの構成単位としたとき、前記各照明装置のうち、各在席箇所に応じて設定される各グループに含まれる各格子点の照明装置を、点灯照明として決定する工程と、
ｂ）前記各グループごとに、グループ内の各格子点における照明装置のうち、当該グループ外の格子点における他の点灯照明に隣接する照明装置を、前記減光対象の照明装置として特定する工程と、
ｃ）前記各グループごとに特定された前記減光対象の照明装置に関する、照明装置の定格出力に対する比率を示す調光比を算出する工程と、
を実行させるプログラム。
【発明の詳細な説明】
【技術分野】
【０００１】
本発明は、照明器具の調光技術に関する。
【背景技術】
【０００２】
オフィスまたは学校等の室内では、一般的に直管形の照明器具が、天井に一定間隔で格子状に多数配置されている。
【０００３】
このような室内において、在席状況に応じた効率的な照射を行うために、これらの照明器具を制御する場合、単に不在者の座席付近の照明器具を消灯するだけでは、十分な節電を行うことができない。
【０００４】
また、通常、オフィス等の室内では、在席者が必要とする照度は、一つの照明器具による光だけではなく、複数の照明器具による光を重ね合わせて得られている。このため、照明器具を消灯する際には、当該照明器具の直下に位置する座席だけではなく、周辺の座席への影響をも考慮することが好ましい。
【０００５】
したがって、在席状況に応じた効率的な照射を行うためには、複数の照明器具を連携して、各照明器具の明るさを調節することになる。
【０００６】
一般的に、照明の明るさを調節する調光を行う際には、照度センサーが用いられ、当該照度センサーによって検出される照度に基づいて調光が行われる（例えば、特許文献１）。
【先行技術文献】
【特許文献】
【０００７】
【特許文献１】特開２００８−２０４８９７号公報
【発明の概要】
【発明が解決しようとする課題】
【０００８】
しかし、複数の照明器具を連携して調光するために、座席ごとに照度センサーを設置すると、高コストになる。
【０００９】
そこで、本発明は、座席ごとに照度センサーを設置することなく、複数の照明器具を調光することが可能な技術を提供することを目的とする。
【課題を解決するための手段】
【００１０】
本発明に係る調光システムの第１の態様は、天井面において、当該天井面を格子状に区画したときの各格子点に配置される照明装置と、前記各格子点の位置に対応して存在する各座席の在席状況を検出する検出手段と、前記各格子点に配置される各照明装置それぞれと通信可能な制御装置とを備え、前記制御装置は、在席箇所の格子点を中心にした複数の格子点によって形成されるブロックを１グループとして、各在席箇所に応じて設定されるグループごとに、グループ内において減光対象となる照明装置についての調光情報を生成する調光情報生成手段と、前記調光情報を送信する送信手段とを有し、前記各照明装置のうち、減光対象の照明装置は、受信した前記調光情報に基づいて調光を行う。
【００１１】
また、本発明に係る調光システムの第２の態様は、上記第１の態様であって、前記調光情報生成手段は、前記各照明装置のうち、各在席箇所に応じて設定される各グループに含まれる各格子点の照明装置を、点灯照明として決定する決定手段と、前記各グループごとに、グループ内の各格子点における照明装置のうち、当該グループ外の格子点における他の点灯照明に隣接する照明装置を、前記減光対象の照明装置として特定する特定手段と、前記各グループごとに特定された前記減光対象の照明装置に関する、照明装置の定格出力に対する比率を示す調光比を前記調光情報として算出する第１調光処理手段とを有する。
【００１２】
また、本発明に係る調光システムの第３の態様は、上記第２の態様であって、前記第１調光処理手段は、減光対象の照明装置を定格出力で単独で点灯させたときの当該照明装置の位置する格子点における被照射面の照度を基準照度とした場合、減光対象の当該照明装置から与えられる前記被照射面の照度と、当該減光対象の照明装置に隣接した前記他の点灯照明から与えられる前記被照射面の照度とを加算して得られる複合照度が、前記基準照度に近づくように前記調光比を算出する。
【００１３】
また、本発明に係る調光システムの第４の態様は、上記第３の態様であって、前記調光情報生成手段は、或る格子点の照明装置を定格出力で単独で点灯させたときの当該格子点における被照射面の照度および当該格子点に隣接する各隣接格子点における被照射面の照度を、前記基準照度に対する第１照度比として予め保持し、前記第１調光処理手段は、前記第１照度比を用いて前記複合照度を取得し、当該複合照度が前記基準照度の第１照度比としての１に近づくように前記調光比を算出する。
【００１４】
また、本発明に係る調光システムの第５の態様は、上記第３の態様または上記第４の態様であって、前記１グループとしてのブロックは、在席箇所の格子点と、当該格子点に隣接した８つの格子点とによって形成され、前記調光情報生成手段は、在席箇所に応じて設定される各グループにおいて、グループ内の全ての格子点において在席となる特定グループが存在するか否かを判定する判定手段と、前記特定グループが存在する場合、当該特定グループの中心に位置する中心格子点の照明装置の調光比を前記調光情報として算出する第２調光処理手段とをさらに有し、前記第２調光処理手段は、前記特定グループ内のいずれかの格子点に隣接する格子点であって、当該特定グループに含まれない各格子点における点灯照明それぞれから与えられる、前記中心格子点における被照射面の累積照度を取得し、前記第２調光処理手段は、前記基準照度から前記累積照度を減算することによって得られる値の前記基準照度に対する比を、前記中心格子点の照明装置の調光比として算出する。
【００１５】
また、本発明に係る調光システムの第６の態様は、上記第５の態様であって、前記調光情報生成手段は、或る格子点の照明装置を定格出力で単独で点灯させたときの当該格子点における被照射面の照度、および当該格子点に隣接した各隣接格子点を隣接して囲む各格子点における被照射面の照度を、前記基準照度に対する第２照度比として予め保持し、前記第２調光処理手段は、前記第２照度比を用いて前記累積照度を取得し、前記基準照度の第２照度比としての１から当該累積照度を減算することによって得られる値を前記中心格子点の照明装置の調光比として算出する。
【００１６】
また、本発明に係る調光方法は、天井面において、当該天井面を格子状に区画したときの各格子点に配置される照明装置の調光方法であって、ａ）前記各格子点の位置に対応して存在する各座席の在席状況を検出する工程と、ｂ）在席箇所の格子点を中心にした複数の格子点によって形成されるブロックを１グループとして、各在席箇所に応じて設定される各グループごとに、グループ内において減光対象となる照明装置についての調光情報を生成する工程と、ｃ）前記調光情報に基づいて、減光対象の照明装置の調光を行う工程とを備える。
【００１７】
また、本発明に係るプログラムは、天井面において、当該天井面を格子状に区画したときの各格子点に配置される照明装置と、前記各格子点の位置に対応して存在する各座席の在席状況を検出する検出手段と、前記各格子点に配置される各照明装置それぞれと通信可能な制御装置とを備えた調光システムの前記制御装置に内蔵されたコンピュータに、ａ）在席箇所の格子点を中心にした複数の格子点によって形成されるブロックを１グループの構成単位としたとき、前記各照明装置のうち、各在席箇所に応じて設定される各グループに含まれる各格子点の照明装置を、点灯照明として決定する工程と、ｂ）前記各グループごとに、グループ内の各格子点における照明装置のうち、当該グループ外の格子点における他の点灯照明に隣接する照明装置を、前記減光対象の照明装置として特定する工程と、ｃ）前記各グループごとに特定された前記減光対象の照明装置に関する、照明装置の定格出力に対する比率を示す調光比を算出する工程とを実行させる。
【発明の効果】
【００１８】
本発明によれば、座席ごとに照度センサーを設置することなく、各照明器具を調光することが可能になる。
【００１９】
本発明の目的、特徴、局面、および利点は、以下の詳細な説明と添付図面とによって、より明白となる。
【図面の簡単な説明】
【００２０】
【図１】第１実施形態に係る調光システムの全体構成を示す図である。
【図２】照明装置の構成を示す図である。
【図３】全体制御装置の構成を示す図である。
【図４】直管形の照明を点光源として表すことを示す模式図である。
【図５】オフィス内の各点光源を格子の格子点に配置した様子を示す図である。
【図６】格子点における光源を１灯点灯させた場合の各格子点における作業面の照度（作業面照度）を示す図である。
【図７】１グループ内の９つの光源を全て点灯させたときの各格子点の照度を示す図である。
【図８】各格子点における照度比を示す図である。
【図９】平均化処理の概要を示す図である。
【図１０】調光動作の第１態様を示す図である。
【図１１】調光動作の第１態様を示す図である。
【図１２】調光動作の第２態様を示す図である。
【図１３】調光動作の第２態様を示す図である。
【図１４】調光動作の第３態様を示す図である。
【図１５】調光動作の第３態様を示す図である。
【図１６】調光動作の第３態様を示す図である。
【図１７】第３態様の調光動作によって取得された調光比でシミュレーションした場合の照度分布を示す図である。
【図１８】調光動作の第４態様を示す図である。
【図１９】第４態様の調光動作によって取得された調光比でシミュレーションした場合の照度分布を示す図である。
【図２０】減算処理の概要を示す図である。
【図２１】減算処理の概要を示す図である。
【図２２】第２実施形態に係る調光システムにおける調光動作の第１態様を示す図である。
【図２３】第２実施形態に係る調光システムにおける調光動作の第１態様を示す図である。
【図２４】第２実施形態に係る調光システムにおける第１態様の調光動作によって取得された調光比でシミュレーションした場合の照度分布を示す図である。
【図２５】第２実施形態に係る調光システムにおける調光動作の第２態様を示す図である。
【図２６】第２実施形態に係る調光システムにおける第２態様の調光動作によって取得された調光比でシミュレーションした場合の照度分布を示す図である。
【発明を実施するための形態】
【００２１】
以下、各実施形態について図面を参照して説明する。なお、異なる図面において同一の符号を付した要素は、同一または相応する要素を示すものとする。
【００２２】
＜１．第１実施形態＞
［１−１．構成］
図１は、第１実施形態に係る調光システム１Ａの全体構成を示す図である。
【００２３】
図１に示されるように、調光システム１Ａは、オフィス等の天井に設けられた複数の照明装置１０と、人感センサー３０と、全体制御装置５０とで構成されている。
【００２４】
このような構成を有する調光システム１Ａでは、各座席の在席状況が人感センサー３０によって検出され、検出された座席状況に基づいて、全体制御装置５０によって各照明装置１０を調光する調光動作が行われる。
【００２５】
下記では、調光システム１Ａの各構成要素について詳述する。図２は、照明装置１０の構成を示す図であり、図３は、全体制御装置５０の構成を示す図である。
【００２６】
図２に示されるように、照明装置１０は、照明器具（「灯具」または単に「照明」とも称する）１１と、通信制御モジュール１２とで構成されている。
【００２７】
照明器具１１は、光を照射する照明１１１と、当該照明１１１に電力を供給する照明用電源回路１１２とを有している。照明１１１としては、例えば、Ｈｆ（High Frequency）蛍光ランプ、ＬＥＤランプ等が採用される。照明１１１としてＨｆ蛍光ランプが採用された場合は、照明用電源回路１１２としては、Ｈｆインバータが用いられる。また、照明１１１としてＬＥＤランプが採用された場合は、照明用電源回路１１２としては、ＬＥＤ定電流回路が用いられる。
【００２８】
通信制御モジュール１２は、通信制御部１２１と、ＣＰＵ１２２と、メモリ１２３とを有し、照明装置１０における各種動作を制御する。
【００２９】
具体的には、通信制御部１２１は、全体制御装置５０等の外部機器と通信を行うための通信動作を制御する。外部機器との通信は、無線通信および電力線１５を介した電力線通信（ＰＬＣ：Power Line Communication）の少なくとも１つによって行えればよく、図２では、無線通信および電力線通信によって通信可能な態様が例示されている。通信制御部１２１は、全体制御装置５０から送信されてくる調光情報を受信し、当該調光情報をＣＰＵ１２２に出力する。
【００３０】
ＣＰＵ１２２は、メモリ１２３に記憶されたプログラムを読み出して、当該プログラムを実行することにより、各種機能を実現する。例えば、ＣＰＵ１２２は、調光情報に基づいて、照明器具１１の調光を行う調光指示手段として機能し、調光を行うための指示信号（調光指示信号）を照明器具１１に対して出力する。
【００３１】
人感センサー３０（図１）は、カメラ等の撮像装置を用いて構成され、室内における各座席の在席状況を検出する検出手段としての機能を有している。また、人感センサー３０は、通信モジュール３１をも有し、全体制御装置５０と通信可能に構成されている。人感センサー３０によって検出された各座席の在席状況に関する情報は、当該通信モジュール３１を介して全体制御装置５０に伝送される。なお、人感センサー３０と全体制御装置５０との通信は、無線通信で行われてもよく、或いは電力線通信等の有線通信で行われてもよい。
【００３２】
全体制御装置５０は、各照明装置１０および人感センサー３０と通信可能に構成され、人感センサー３０によって検出された座席状況に基づいて、各照明装置１０を調光するための調光情報を生成する。
【００３３】
より詳細には、図３に示されるように、全体制御装置５０は、通信制御部５１と、ＣＰＵ５２と、メモリ５３と、表示部５４とを有している。
【００３４】
通信制御部５１は、照明装置１０、人感センサー３０等の外部機器と通信を行うための通信動作を制御する。通信制御部５１による外部機器との通信は、無線通信および電力線通信の少なくとも１つによって行われる。
【００３５】
ＣＰＵ５２は、メモリ５３に記憶されたプログラムを読み出して、当該プログラムを実行することにより、例えば、調光情報生成部を機能的に実現する。調光情報生成部は、在席状況に基づいて、各照明装置１０に関する調光情報を生成し、通信制御部５１を介して当該調光情報を外部に送信させる。
【００３６】
［１−２．調光手法の概要］
オフィスの照明を調光するに際し、下記の規則（１）〜（５）が適用される。図４は、直管形の照明を点光源として表すことを示す模式図である。図５は、オフィス内の各点光源を格子の格子点に配置した様子を示す図である。
【００３７】
（１）図４に示されるように、直管形の照明ＣＬを点光源ＰＬとして扱う。
【００３８】
（２）図５に示されるように、オフィスの天井における点光源ＰＬは、格子の各格子点Ｇに配置されるものとする。なお、本実施形態では、各格子点Ｇには点光源ＰＬが存在し、当該点光源ＰＬの直下には作業面（被照射面）が存在するものとする。また、以下の図面において、白抜きの丸印で表された格子点Ｇでは、点光源ＰＬが点灯し、黒い丸印で表された格子点Ｇでは、点光源ＰＬが消灯していることを示している。
【００３９】
（３）９灯１グループを基本制御単位として調光制御を行う。
【００４０】
作業に適した最適な照度（ＪＩＳ照度基準では７５０ｌｘ）は、直管形の照明１灯では得られない。このため、或る作業面において最適な照度を得るために、当該作業面の直上の照明に加えて、隣接する複数の照明が点灯されることになる。
【００４１】
図６は、格子点Ｇｃにおける光源を１灯点灯させた場合の各格子点における作業面の照度（作業面照度）を示す図である。図６に示されるように、格子点Ｇｃにおける点灯光源直下の作業面では、２４９ｌｘの照度が得られているが、光源からの距離が離れると、距離の２乗に反比例して照度は低下する。
【００４２】
点灯光源を有する格子点Ｇｃから格子点を１つ挟んだ格子点Ｇｕの作業面では、照度が著しく低下することから、本実施形態では、注目格子点としての或る格子点における作業面の照度を計算する際には、当該注目格子点から格子点を一つ挟んだ格子点の光源による影響は考慮しないものとする。すなわち、注目格子点における作業面の照度計算には、注目格子点に隣接する格子点（隣接格子点）の光源からの照度を考慮し、隣接格子点よりも遠方に位置する他の格子点の光源による影響は考慮しない。また、本実施形態では、破線ＢＬで囲まれた９灯１グループを基本制御単位として、グループ内の光源について調光を行うものとする。
【００４３】
なお、以下では、「格子点における作業面の照度」を単に「格子点の照度」と略記する。また、図６に示される照度は、２．７ｍの天井に設置したＦＨＸ６１３５０Ａの照明を点灯させたときの床面から０．７ｍにおける各作業面の照度を示し、逐点法によって算出された値である。また、各作業面における照度の算出は、光源からの光が空間のどの方向へ、どれだけの強さで出ているかを示すデータを加味して行われる。当該データは、配光曲線として照明の製造元から開示されている。また、各作業面の照度は、逐点法を用いて演算により算出することなく、各作業面において照度計を用いて実際に測定して得てもよい。
【００４４】
図７は、１グループ内の９つの光源を全て点灯させたときの各格子点の照度を示している。図７に示されるように、各格子点の照度は、グループ内の各光源を点灯させたときの照度を重ね合わせることによって得られ、全点灯時、グループ内の中央の格子点Ｇｃでは、７５０ｌｘ以上の照度が得られていることがわかる。
【００４５】
（４）照度比の算出を行う。図８は、各格子点における照度比を示す図である。
【００４６】
照度比の算出では、グループ内の中央の格子点における光源を定格出力で単独で点灯させたときの当該中央の格子点における作業面照度が基準照度とされる。そして、中央の格子点に隣接する隣接格子点の作業面照度が基準照度に対する照度比に換算される。
【００４７】
具体的には、図８に示されるように、中央の格子点Ｇｃの照度「２４９」ｌｘを「１」としたときの隣接格子点の照度を算出する。当該隣接格子点の照度は、中央の格子点Ｇｃの照度に対する隣接格子点の照度比であり、当該照度比から中央の格子点Ｇｃと隣接格子点との間の光量の減衰率を求めることができる。すなわち、水平方向の光量減衰率αは、０．３４となり、垂直方向の光量減衰率βは、０．４７となり、対角方向の光量減衰率γは、０．２２となる。
【００４８】
このようにして取得された基準照度に対する隣接格子点の照度比（第１照度比）は、全体制御装置５０内の記憶部（例えば、メモリ５３）に予め保持される。調光情報生成部で行われる、後述の格子点の照度を用いた各演算では、予め保持された照度比が用いられる。このように、各格子点の照度を基準照度に対する照度比で表し、当該照度比を用いて演算を行うことによれば、演算を簡単化することが可能になり、演算量を低減することができる。
【００４９】
（５）平均化処理を用いて調光比を算出する。
【００５０】
平均化処理は、調光対象の光源に隣接した隣接光源によって与えられる余剰照度を考慮して、調光対象の光源の調光比を算出する場合に利用する。図９は、平均化処理の概要を示す図である。
【００５１】
図９では、格子点Ｇ１０，Ｇ１１，Ｇ２１における各光源が点灯光源となっている。各格子点Ｇ１０，Ｇ１１，Ｇ２１における照度を、図８の照度比を用いて表す。
【００５２】
格子点Ｇ１０の照度には、格子点Ｇ１１，Ｇ２１の光源からの照度が加算されるので、格子点Ｇ１０の照度（複合格子点照度）Ｌ’（Ｇ１０）は、Ｌ’（Ｇ１０）＝１＋０．４７＋０．２２＝１．６９となる。
【００５３】
同様に、格子点Ｇ１１の照度には、格子点Ｇ１０，Ｇ２１の光源からの照度が加算されるので、格子点Ｇ１１の複合格子点照度Ｌ’（Ｇ１１）は、Ｌ’（Ｇ１１）＝１＋０．４７＋０．３４＝１．８１となる。
【００５４】
また、格子点Ｇ２１の照度には、格子点Ｇ１０，Ｇ１１の光源からの照度が加算されるので、格子点Ｇ２１の複合格子点照度Ｌ’（Ｇ２１）は、Ｌ’（Ｇ２１）＝１＋０．３４＋０．２２＝１．５６となる。
【００５５】
次に、格子点の光源を定格出力で単独で点灯させたときの当該格子点における照度（「単一格子点照度」または「基準照度」とも称する）「１」を、各複合格子点照度で割って、各光源の調光比を算出する。
【００５６】
具体的には、格子点Ｇ１０の調光比は、１／Ｌ’（Ｇ１０）＝０．５９となり、格子点Ｇ１１の調光比は、１／Ｌ’（Ｇ１１）＝０．５５となり、格子点Ｇ２１の調光比は、１／Ｌ’（Ｇ２１）＝０．６４となる。
【００５７】
なお、ここでの調光比は、光源としての照明装置１０の定格出力に対する比率を示している。また、調光比は、照明装置１０を全点灯させたときの光出力の割合を比率で表したものと定義してもよい。
【００５８】
得られた調光比で光源を点灯した場合の各格子点Ｇ１０，Ｇ１１，Ｇ２１の複合格子点照度を再計算すると、格子点Ｇ１０の複合格子点照度は、０．５９＊１＋０．５５＊０．４７＋０．６４＊０．２２＝０．９９となる。また、格子点Ｇ１１の複合格子点照度は、０．５５＊１＋０．５９＊０．４７＋０．６４＊０．３４＝１．０４となり、格子点Ｇ２１の複合格子点照度は、０．６４＊１＋０．５９＊０．２２＋０．５５＊０．３４＝０．９６となる。
【００５９】
このように、隣接光源によって与えられる照度を考慮して、点灯光源の照度をならす平均化処理を行うことによれば、点灯光源の格子点における照度比を基準照度としての「１」に近づけることができる。
【００６０】
当該平均化処理は、調光対象の光源によって与えられる照度と、当該調光対象の光源に隣接した隣接光源によって与えられる照度とを加算して得られる、調光対象の格子点における複合格子点照度が、基準照度に近づくように、調光対象の光源の調光比を算出する処理とも表現することができる。
【００６１】
オフィスまたは学校等の室内に設けられた各光源では、隣接する光源間の距離が短いため、光源間で与え合う光量が大きい。このような環境下では、隣接光源によって与えられる照度を考慮して、光源の照度をならす平均化処理が特に有効となる。
【００６２】
［１−３．調光動作］
次に、調光システム１Ａにおける調光動作について説明する。図１０および図１１は、調光動作の第１態様を示す図である。
【００６３】
図１０に示されるように、調光動作では、まず、人感センサー３０を用いて、オフィスにおける在席箇所が特定される。図１０の例では、在席箇所は、格子点Ｇ１１，Ｇ２１となっている。
【００６４】
次に、全体制御装置５０の調光情報生成部によって、オフィス内の光源のうち、点灯させる点灯光源（点灯照明）が決定される。点灯光源の決定は、在席箇所に基づいて行われ、在席箇所の格子点に位置する光源と、当該光源に隣接する８つの隣接光源とが点灯光源として決定される。図１０では、在席箇所は、隣接した２箇所であるため、点灯光源は、格子点Ｇ００，Ｇ１０，Ｇ２０，Ｇ３０，Ｇ０１，Ｇ１１，Ｇ２１，Ｇ３１，Ｇ０２，Ｇ１２，Ｇ２２，Ｇ３２に位置する１２個の光源となる。このように調光情報生成部は、各在席箇所に応じて設定される各グループに含まれる各格子点の光源を点灯光源として決定する決定手段としての機能も有している。
【００６５】
そして、調光情報生成部によって、点灯光源についての調光情報の生成が行われる。点灯光源についての調光情報の生成は、在席箇所の格子点に位置する光源を中心光源とした場合、当該中心光源と、中心光源に隣接した８つの隣接光源とを含むグループ単位で行われる。よって、図１０の例では、格子点Ｇ１１に位置する照明を中心としたグループＲＰ１および格子点Ｇ２１に位置する光源を中心としたグループＲＰ２それぞれについて調光情報の生成が行われることになる。
【００６６】
また、点灯光源についての調光情報の生成は、１つのグループについての調光が終了した場合、次のグループへと順次移行して行われる。その移行の順序としては、左上の格子点から右方向に順次に移行させ、行ごとの移行が終了する度に改行しつつ、右下の格子点まで順次に移行させる、いわゆるラスター順が採用される。よって、図１０の例では、まず、グループＲＰ１についての調光情報が生成され、その後、グループＲＰ２についての調光情報が生成されることになる。
【００６７】
グループごとの調光情報の生成では、調光対象のグループ内における各光源のうち、減光対象（調光対象）となる光源が特定される。グループ内における減光対象の光源は、グループ外の点灯光源と隣接する光源となる。また、在席箇所の格子点に位置する光源は、減光対象から除外される。
【００６８】
具体的には、図１０に示されるように、グループＲＰ１における減光対象の光源は、グループ外の格子点Ｇ３０，Ｇ３１に隣接する格子点Ｇ２０の光源と、グループ外の格子点Ｇ３１，Ｇ３２に隣接する格子点Ｇ２２の光源とになる。このように調光情報生成部は、グループ内における各光源のうち、当該グループ外の点灯光源に隣接する光源を減光対象の光源として特定する特定手段としての機能も有している。
【００６９】
そして、調光情報生成部によって、減光対象となる、格子点Ｇ２０の光源の調光比の算出処理が行われる。
【００７０】
具体的には、まず、グループ外の他の格子点の光源からの照度を加味したときの減光対象の格子点における照度（複合格子点照度）が算出される。具体的には、格子点の光源を定格出力で単独で点灯させたときの当該格子点における照度（単一格子点照度）をＬ（Ｇｘｙ）とし、減光対象の格子点における複合格子点照度をＬ’（Ｇｘｙ）とした場合、格子点Ｇ２０における複合格子点照度Ｌ’（Ｇ２０）は、式（１）のように表される。
【００７１】
【数１】
2013232294.tif 000003
【００７２】
式（１）中のα，γは、それぞれ水平方向の格子点間の光量減衰率（α＝０．３４）、対角方向の格子点間の光量減衰率（γ＝０．２２）であり、Ｌ’（Ｇ２０）＝１＋０．３４＊１＋０．２２＊１＝１．５６になる。
【００７３】
そして、減光対象の格子点Ｇ２０における単一格子点照度Ｌ（Ｇ２０）を格子点Ｇ２０における複合格子点照度Ｌ’（Ｇ２０）で割る式（２）の演算を行うことにより、減光対象の格子点Ｇ２０における調光比Ｒ（Ｇ２０）が算出される。すなわち、Ｒ（Ｇ２０）＝Ｌ（Ｇ２０）／Ｌ’（Ｇ２０）＝１／１．５６＝０．６４となり、調光比Ｒ（Ｇ２０）は、０．６４となる。
【００７４】
【数２】
2013232294.tif 000004
【００７５】
格子点Ｇ２２の光源についての調光比の算出処理では、格子点Ｇ２０の場合と同様、式（３）の演算を行うことにより、格子点Ｇ２２における複合格子点照度Ｌ’（Ｇ２２）が、算出される。
【００７６】
【数３】
2013232294.tif 000005
【００７７】
そして、式（４）の演算を行うことにより、減光対象の格子点Ｇ２２における調光比Ｒ（Ｇ２２）が算出される。すなわち、Ｒ（Ｇ２２）＝Ｌ（Ｇ２２）／Ｌ’（Ｇ２２）＝１／１．５６＝０．６４となり、調光比Ｒ（Ｇ２２）は、０．６４となる。
【００７８】
【数４】
2013232294.tif 000006
【００７９】
このように調光情報生成部は、減光対象となる各光源の調光比を調光情報として算出する調光処理手段（第１調光処理手段）としての機能も有している。
【００８０】
次に、調光対象のグループをグループＲＰ２に変更して、グループＲＰ２についての調光情報の生成が行われる。
【００８１】
具体的には、グループＲＰ２内における各光源のうち、減光対象となる光源が特定される。グループ内における減光対象の光源は、グループ外の点灯光源と隣接する光源であって、グループ外の光源から照度を得る格子点に位置する光源となる。また、在席箇所の格子点に位置する光源は、減光対象から除外される。
【００８２】
図１１に示されるように、グループＲＰ２における減光対象の光源は、グループ外の格子点Ｇ００，Ｇ０１に隣接する格子点Ｇ１０の光源と、グループ外の格子点Ｇ０１，Ｇ０２に隣接する格子点Ｇ１２の光源とになる。
【００８３】
次に、減光対象となる、格子点Ｇ１０，Ｇ１２の光源に関する調光処理が行われる。
【００８４】
格子点Ｇ１０の光源についての調光比の算出処理では、格子点Ｇ２０，２２の場合と同様、式（５）の演算を行うことにより、格子点Ｇ１０における複合格子点照度Ｌ’（Ｇ１０）が、算出される。
【００８５】
【数５】
2013232294.tif 000007
【００８６】
そして、式（６）の演算を行うことにより、減光対象の格子点Ｇ１０における調光比Ｒ（Ｇ１０）が算出される。すなわち、Ｒ（Ｇ１０）＝Ｌ（Ｇ１０）／Ｌ’（Ｇ１０）＝１／１．５６＝０．６４となり、調光比Ｒ（Ｇ１０）は、０．６４となる。
【００８７】
【数６】
2013232294.tif 000008
【００８８】
また、格子点Ｇ１２の光源についての調光比の算出処理では、格子点Ｇ２０，２２の場合と同様、式（７）の演算を行うことにより、格子点Ｇ１２における複合格子点照度Ｌ’（Ｇ１２）が、算出される。
【００８９】
【数７】
2013232294.tif 000009
【００９０】
そして、式（８）の演算を行うことにより、減光対象の格子点Ｇ１２における調光比Ｒ（Ｇ１２）が算出される。すなわち、Ｒ（Ｇ１２）＝Ｌ（Ｇ１２）／Ｌ’（Ｇ１２）＝１／１．５６＝０．６４となり、調光比Ｒ（Ｇ１２）は、０．６４となる。
【００９１】
【数８】
2013232294.tif 000010
【００９２】
グループＲＰ２についての調光情報の生成が終了すると、減光対象となった光源についての調光情報が通信制御部５１によって、各照明装置１０に送信される。そして、各照明装置１０では、調光情報に基づいて照明の調光が行われる。このような調光動作により、図１１に示されるように、格子点Ｇ１０，Ｇ１２，Ｇ２０，Ｇ２２の各点灯光源がいずれも調光比０．６４で点灯されることになる。
【００９３】
次に、調光システム１Ａにおける調光動作の第２態様について説明する。図１２および図１３は、調光動作の第２態様を示す図である。
【００９４】
図１２の例では、在席箇所は、格子点Ｇ１１，Ｇ２１，Ｇ３１となっており、第１態様と比較して格子点Ｇ３１がさらに在席となっている。
【００９５】
次に、オフィス内の光源のうち、点灯光源が決定される。点灯光源の決定は、在席箇所に基づいて行われ、在席箇所の格子点に位置する光源と、当該光源に隣接する８つの隣接光源とが点灯光源として決定される。図１２では、在席箇所は、隣接した３箇所であるため、点灯光源は、格子点Ｇ００，Ｇ１０，Ｇ２０，Ｇ３０，Ｇ４０，Ｇ０１，Ｇ１１，Ｇ２１，Ｇ３１，Ｇ４１，Ｇ０２，Ｇ１２，Ｇ２２，Ｇ３２，Ｇ４２に位置する１５個の光源となる。
【００９６】
そして、点灯光源についての調光情報の生成が行われる。点灯光源についての調光情報の生成は、在席箇所の格子点に位置する光源を中心光源とした場合、当該中心光源と、中心光源に隣接した８つの隣接光源とを含むグループ単位で行われる。よって、図１２の例では、格子点Ｇ１１に位置する照明を中心としたグループＲＰ１、格子点Ｇ２１に位置する光源を中心としたグループＲＰ２、および格子点Ｇ３１に位置する光源を中心としたグループＲＰ３それぞれについて、この順序で調光情報の生成が行われることになる。
【００９７】
グループＲＰ１についての調光情報の生成では、上記第１態様と同様、格子点Ｇ２０の光源と，格子点Ｇ２２の光源とが減光対象の光源となる。そして、上記第１態様と同様の計算が行われ、格子点Ｇ２０の光源の調光比Ｒ（Ｇ２０）と、格子点Ｇ２２の光源の調光比Ｒ（Ｇ２２）とがそれぞれ、０．６４と算出される。
【００９８】
そして、グループＲＰ２についての調光情報の生成では、格子点Ｇ１０，Ｇ１２の光源に加えて、格子点Ｇ３０，Ｇ３２の光源が減光対象の光源となる。
【００９９】
格子点Ｇ１０，Ｇ１２の光源についての調光比の算出処理では、上記第１態様と同様の計算が行われ、格子点Ｇ１０の光源の調光比Ｒ（Ｇ１０）と、格子点Ｇ１２の光源の調光比Ｒ（Ｇ１２）とがそれぞれ、０．６４と算出される。また、格子点Ｇ３０，３２の光源についての調光比の算出処理では、格子点Ｇ２０，Ｇ２２の光源の調光比を算出する場合と同様の演算を行うことにより、格子点Ｇ３０の光源の調光比Ｒ（Ｇ３０）と、格子点Ｇ３２の光源の調光比Ｒ（Ｇ３２）とがそれぞれ、０．６４と算出される。
【０１００】
次に、グループＲＰ３についての調光情報の生成では、格子点Ｇ２０の光源と、格子点Ｇ２２の光源とが減光対象の光源となるが、格子点Ｇ２０，Ｇ２２の光源の調光比は、グループＲＰ１において算出済みであるため、グループＲＰ３についての調光情報の生成において再度の計算は行わない。このように、１の光源に対する調光比の算出処理は、１回限りとされる。
【０１０１】
上述のような第２態様の調光動作により、図１３に示されるように、格子点Ｇ１０，Ｇ１２，Ｇ２０，Ｇ２２，Ｇ３０，Ｇ３２の各点灯光源がいずれも調光比０．６４で点灯されることになる。
【０１０２】
次に、調光システム１Ａにおける調光動作の第３態様について説明する。図１４、図１５および図１６は、調光動作の第３態様を示す図である。図１７は、第３態様の調光動作において取得された調光比でシミュレーションした場合の照度分布を示す図である。
【０１０３】
図１４の例では、在席箇所は、格子点Ｇ１１，Ｇ２１，Ｇ３１，Ｇ１２となっており、第２態様と比較して格子点Ｇ１２がさらに在席となっている。
【０１０４】
図１４における、点灯光源は、格子点Ｇ００，Ｇ１０，Ｇ２０，Ｇ３０，Ｇ４０，Ｇ０１，Ｇ１１，Ｇ２１，Ｇ３１，Ｇ４１，Ｇ０２，Ｇ１２，Ｇ２２，Ｇ３２，Ｇ４２，Ｇ０３，Ｇ１３，Ｇ２３に位置する１８個の光源となる。
【０１０５】
そして、各点灯光源について調光情報の生成がグループ単位で行われる。図１４の例では、格子点Ｇ１１に位置する照明を中心としたグループＲＰ１、格子点Ｇ２１に位置する光源を中心としたグループＲＰ２、格子点Ｇ３１に位置する光源を中心としたグループＲＰ３、および格子点Ｇ１２に位置する光源を中心としたグループＲＰ４それぞれについて、この順序で調光情報の生成が行われる。
【０１０６】
グループＲＰ１についての調光情報の生成では、格子点Ｇ２０，Ｇ２２の光源に加えて、格子点Ｇ０２の光源が減光対象の光源となる。
【０１０７】
格子点Ｇ２０の光源についての調光比の算出処理では、上記第１態様と同様の計算が行われ、格子点Ｇ２０の光源の調光比Ｒ（Ｇ２０）が０．６４と算出される。
【０１０８】
格子点Ｇ２２の光源についての調光比の算出処理では、式（９）の演算を行うことにより、格子点Ｇ２２における複合格子点照度Ｌ’（Ｇ２２）が、算出される。
【０１０９】
【数９】
2013232294.tif 000011
【０１１０】
そして、式（１０）の演算を行うことにより、減光対象の格子点Ｇ２２における調光比Ｒ（Ｇ２２）が算出される。すなわち、Ｒ（Ｇ２２）＝Ｌ（Ｇ２２）／Ｌ’（Ｇ２２）＝０．４４となり、調光比Ｒ（Ｇ２２）は、０．４４となる。
【０１１１】
【数１０】
2013232294.tif 000012
【０１１２】
また、格子点Ｇ０２の光源についての調光比の算出処理では、式（１１）の演算を行うことにより、格子点Ｇ０２における複合格子点照度Ｌ’（Ｇ０２）が、算出される。
【０１１３】
【数１１】
2013232294.tif 000013
【０１１４】
そして、式（１２）の演算を行うことにより、減光対象の格子点Ｇ０２における調光比Ｒ（Ｇ０２）が算出される。すなわち、Ｒ（Ｇ０２）＝Ｌ（Ｇ０２）／Ｌ’（Ｇ０２）＝０．５９となり、調光比Ｒ（Ｇ０２）は、０．５９となる。
【０１１５】
【数１２】
2013232294.tif 000014
【０１１６】
グループＲＰ２についての調光情報の生成（図１５）では、格子点Ｇ１０，Ｇ２２，Ｇ３０，Ｇ３２の光源が減光対象の光源となる。なお、格子点Ｇ２２の光源の調光比は、グループＲＰ１において算出済みであるため、グループＲＰ２の調光情報の生成において再度の計算は行わない。
【０１１７】
格子点Ｇ１０，Ｇ３０の光源についての調光比の算出処理では、上記第２態様と同様の計算が行われ、格子点Ｇ１０の光源の調光比Ｒ（Ｇ１０）と、格子点Ｇ３０の光源の調光比Ｒ（Ｇ１２）とがそれぞれ、０．６４と算出される。
【０１１８】
また、格子点Ｇ３２の光源についての調光比の算出処理では、式（１３）の演算を行うことにより、格子点Ｇ３２における複合格子点照度Ｌ’（Ｇ３２）が、算出される。
【０１１９】
【数１３】
2013232294.tif 000015
【０１２０】
そして、式（１４）の演算を行うことにより、減光対象の格子点Ｇ３２における調光比Ｒ（Ｇ３２）が算出される。すなわち、Ｒ（Ｇ３２）＝Ｌ（Ｇ３２）／Ｌ’（Ｇ３２）＝０．５６となり、調光比Ｒ（Ｇ３２）は、０．５６となる。
【０１２１】
【数１４】
2013232294.tif 000016
【０１２２】
グループＲＰ３についての調光情報の生成では、格子点Ｇ２０，Ｇ２２の光源が減光対象の光源となる。なお、格子点Ｇ２０，Ｇ２２の光源の調光比は、グループＲＰ１において算出済みであるため、グループＲＰ２の調光において再度の計算は行わない。
【０１２３】
グループＲＰ４についての調光では、格子点Ｇ０１，Ｇ２２，Ｇ２３の光源が減光対象の光源となる。なお、格子点Ｇ２２の光源の調光比は、グループＲＰ１において算出済みであるため、グループＲＰ４の調光情報の生成において再度の計算は行わない。
【０１２４】
格子点Ｇ０１の光源についての調光比の算出処理では、式（１５）の演算を行うことにより、格子点Ｇ０１における複合格子点照度Ｌ’（Ｇ０１）が、算出される。
【０１２５】
【数１５】
2013232294.tif 000017
【０１２６】
そして、式（１６）の演算を行うことにより、減光対象の格子点Ｇ０１における調光比Ｒ（Ｇ０１）が算出される。すなわち、Ｒ（Ｇ０１）＝Ｌ（Ｇ０１）／Ｌ’（Ｇ０１）＝０．５９となり、調光比Ｒ（Ｇ０１）は、０．５９となる。
【０１２７】
【数１６】
2013232294.tif 000018
【０１２８】
また、格子点Ｇ２３の光源についての調光比の算出処理では、式（１７）の演算を行うことにより、格子点Ｇ２３における複合格子点照度Ｌ’（Ｇ２３）が、算出される。
【０１２９】
【数１７】
2013232294.tif 000019
【０１３０】
そして、式（１８）の演算を行うことにより、減光対象の格子点Ｇ２３における調光比Ｒ（Ｇ２３）が算出される。すなわち、Ｒ（Ｇ２３）＝Ｌ（Ｇ２３）／Ｌ’（Ｇ２３）＝０．８２となり、調光比Ｒ（Ｇ２３）は、０．８２となる。
【０１３１】
【数１８】
2013232294.tif 000020
【０１３２】
上述のような第３態様の調光動作により、図１６に示されるように、格子点Ｇ１０，Ｇ２０，Ｇ３０の各点灯光源は、調光比０．６４で点灯され、格子点Ｇ０１，Ｇ０２の各点灯光源は、調光比０．５９で点灯される。また、格子点Ｇ２２の点灯光源は、調光比０．４４で点灯され、格子点Ｇ３２の点灯光源は、調光比０．５６で点灯され、格子点Ｇ２３の点灯光源は、調光比０．８２で点灯されることになる。
【０１３３】
第３態様の調光動作によって取得された調光比でシミュレーションした場合、照度の分布は、図１７の様になり、在席箇所では、作業に適した最適な照度（７５０ｌｘ）が得られていることがわかる。
【０１３４】
次に、調光システム１Ａにおける調光動作の第４態様について説明する。図１８は、調光動作の第４態様を示す図である。図１９は、第４態様の調光動作によって取得された調光比でシミュレーションした場合の照度分布を示す図である。
【０１３５】
図１８の例では、在席箇所は、格子点Ｇ１１，Ｇ４１，Ｇ１４，Ｇ４４となっている。
【０１３６】
図１８における、点灯光源は、格子点Ｇ００，Ｇ１０，Ｇ２０，Ｇ３０，Ｇ４０，Ｇ５０，Ｇ０１，Ｇ１１，Ｇ２１，Ｇ３１，Ｇ４１，Ｇ５１，Ｇ０２，Ｇ１２，Ｇ２２，Ｇ３２，Ｇ４２，Ｇ５２，Ｇ０３，Ｇ１３，Ｇ２３，Ｇ３３，Ｇ４３，Ｇ５３，Ｇ０４，Ｇ１４，Ｇ２４，Ｇ３４，Ｇ４４，Ｇ５４，Ｇ０５，Ｇ１５，Ｇ２５，Ｇ３５，Ｇ４５，Ｇ５５に位置する３６個の光源となる。
【０１３７】
そして、各点灯光源についての調光情報の生成がグループ単位で行われる。図１８の例では、格子点Ｇ１１に位置する照明を中心としたグループＲＰ１、格子点Ｇ４１に位置する光源を中心としたグループＲＰ２、格子点Ｇ１４に位置する光源を中心としたグループＲＰ３、および格子点Ｇ４４に位置する光源を中心としたグループＲＰ４それぞれについて、この順序で調光情報の生成が行われることになる。
【０１３８】
グループＲＰ１についての調光情報の生成では、格子点Ｇ２０，Ｇ２１，Ｇ２２，Ｇ１２，Ｇ０２の各光源が減光対象の光源となる。
【０１３９】
格子点Ｇ２０，Ｇ２１，Ｇ２２，Ｇ１２，Ｇ０２の各光源についての調光比の算出処理では、減光対象の光源ごとに複合格子点照度が算出される。そして、減光対象の光源ごとに、単一格子点照度を複合格子点照度で割ることによって、グループＲＰ１における減光対象の各光源の調光比が算出される。
【０１４０】
グループＲＰ２についての調光情報の生成では、格子点Ｇ３０，Ｇ３１，Ｇ３２，Ｇ４２，Ｇ５２の光源が減光対象の光源となる。
【０１４１】
格子点Ｇ３０，Ｇ３１，Ｇ３２，Ｇ４２，Ｇ５２の各光源についての調光比の算出処理では、減光対象の光源ごとに複合格子点照度が算出される。そして、減光対象の光源ごとに、単一格子点照度を複合格子点照度で割ることによって、グループＲＰ２における減光対象の各光源の調光比が算出される。
【０１４２】
グループＲＰ３についての調光情報の生成では、格子点Ｇ０３，Ｇ１３，Ｇ２３，Ｇ２４，Ｇ２５の各光源が減光対象の光源となる。
【０１４３】
格子点Ｇ０３，Ｇ１３，Ｇ２３，Ｇ２４，Ｇ２５の各光源についての調光比の算出処理では、減光対象の光源ごとに複合格子点照度が算出される。そして、減光対象の光源ごとに、単一格子点照度を複合格子点照度で割ることによって、グループＲＰ３における減光対象の各光源の調光比が算出される。
【０１４４】
グループＲＰ４についての調光情報の生成では、格子点Ｇ３３，Ｇ４３，Ｇ５３，Ｇ３４，Ｇ３５の光源が減光対象の光源となる。
【０１４５】
格子点Ｇ３３，Ｇ４３，Ｇ５３，Ｇ３４，Ｇ３５の各光源についての調光比の算出処理では、減光対象の光源ごとに複合格子点照度が算出される。そして、減光対象の光源ごとに、単一格子点照度を複合格子点照度で割ることによって、グループＲＰ４における減光対象の各光源の調光比が算出される。
【０１４６】
このような第４態様の調光動作により、図１８に示されるように、格子点Ｇ２０，Ｇ３０，Ｇ２５，Ｇ３５の各点灯光源は、調光比０．６４で点灯され、格子点Ｇ２１，Ｇ３１，Ｇ２４，Ｇ３４の各点灯光源は、調光比０．５６で点灯される。また、格子点Ｇ２２，Ｇ３２，Ｇ２３，Ｇ３３の各点灯光源は、調光比０．４４で点灯され、格子点Ｇ１２，Ｇ１３，Ｇ４２，Ｇ４３の各点灯光源は、調光比０．５２で点灯され、格子点Ｇ０２，Ｇ０３，Ｇ５２，Ｇ５３の各点灯光源は、調光比０．５９で点灯されることになる。
【０１４７】
第４態様の調光動作によって取得された調光比でシミュレーションした場合、照度の分布は、図１９の様になり、在席箇所では、作業に適した最適な照度（７５０ｌｘ）が得られていることがわかる。
【０１４８】
以上のように、調光システム１Ａは、天井面において、当該天井面を格子状に区画したときの各格子点に配置される照明装置１０と、各格子点の位置に対応して存在する各座席の在席状況を検出する人感センサー３０と、各格子点に配置される各照明装置１０それぞれと通信可能な全体制御装置５０とを備えている。そして、全体制御装置５０は、在席箇所の格子点を中心にした複数の格子点によって形成されるブロックを１グループとして、各在席箇所に応じて設定されるグループごとに、グループ内において減光対象となる照明装置１０についての調光情報を生成する調光情報生成部と、調光情報を送信する送信手段とを有している。また、各照明装置のうち、減光対象の照明装置は、受信した調光情報に基づいて調光を行う。
【０１４９】
このような調光システム１Ａによれば、座席ごとの照度をリアルタイムに検出することなく、各照明装置１０の調光を在席状況に応じて、自動的に行うことができるので、座席ごとに照度センサーを設置する必要がない。よって、当該調光システム１Ａでは、照度センサーの設置に要する費用を削減することができる。
【０１５０】
また、平均化処理を用いた調光比の算出処理を行うことによれば、在席箇所の作業面において、適正な照度を維持しつつ、点灯光源を減光することができるので、快適な照明環境を損なうことなく、照明装置１０の消費電力を低減することが可能になる。
【０１５１】
＜２．第２実施形態＞
次に、本発明の第２実施形態について説明する。上記第１実施形態に係る調光システム１Ａでは、注目格子点としての或る格子点における作業面の照度計算に、当該注目格子点から格子点を一つ挟んだ格子点の光源による影響を考慮していなかったが、第２実施形態に係る調光システム１Ｂでは、特定の条件下で、注目格子点における作業面の照度計算に、当該注目格子点から格子点を一つ挟んだ格子点の光源による影響を考慮する。なお、調光システム１Ｂは、調光システム１Ａとほぼ同様の構造および機能（図１〜図３参照）を有しており、共通する部分については同じ符号を付して説明を省略する。
【０１５２】
［２−１．第２実施形態に係る調光手法の概要］
第２実施形態の調光システム１Ｂでは、上記第１実施形態の調光システム１Ａと同様の上記（１）〜（５）の各規則に加えて、下記の規則（６）をさらに適用して、点灯光源の調光情報が生成される。
【０１５３】
（１）直管形の照明ＣＬを点光源ＰＬとして扱う（図４）。
【０１５４】
（２）オフィスの天井における点光源ＰＬは、格子の各格子点Ｇに配置されるものとする（図５）。
【０１５５】
（３）９灯１グループを基本制御単位として調光制御を行う。
【０１５６】
（４）照度比の算出を行う。
【０１５７】
照度比の算出では、上記第１実施形態と同様、グループ内の中央の格子点における光源を定格出力で単独で点灯させたときの当該中央の格子点における作業面照度が基準照度とされる。そして、中央の格子点に隣接する隣接格子点の作業面照度、および当該隣接格子点を隣接して囲む各格子点の作業面照度が、基準照度に対する照度比に換算される。
【０１５８】
このようにして取得された基準照度に対する隣接格子点の照度比（第１照度比）および当該隣接格子点を隣接して囲む各格子点の照度比（第２照度比）は、全体制御装置５０内の記憶部に予め保持される。
【０１５９】
第１照度比は、下記（５）の平均化処理を用いた調光比の算出に利用され、第２照度比は、下記（６）の減算処理を用いた調光比の算出に利用される。このように、各格子点の照度を基準照度に対する照度比で表し、当該照度比を用いて演算を行うことによれば、演算を簡単化することが可能になり、演算量を低減することができる。
【０１６０】
（５）平均化処理を用いて調光比を算出する。
【０１６１】
（６）減算処理を用いて調光比を算出する。
【０１６２】
減算処理は、注目格子点における作業面の照度計算を行う際に、当該注目格子点から格子点を一つ挟んだ格子点の光源から受ける光量を加味して、注目格子点における照度を補正する場合に利用する。
【０１６３】
通常、注目格子点から格子点を一つ挟んだ格子点における光源（遠方光源）から受ける光量は少ないため、上記第１実施形態では、当該遠方光源から受ける光量を無視していた。しかし、注目格子点から比較的離れた位置に位置する遠方光源であっても、光源の数が多くなれば、注目格子点において遠方光源から受ける光量は多くなる。
【０１６４】
そこで、本実施形態では、遠方光源から受ける光量を考慮した減算処理を行い、点灯光源の調光比を算出する。図２０および図２１は、減算処理の概要を示す図である。
【０１６５】
図２０に示されるように、中央の格子点Ｇｃから格子点Ｇｗ１，Ｇｗ２を一つ挟んだ格子点Ｇｕ１，Ｇｕ２の各光源を定格出力で点灯させた場合、中央の格子点Ｇｃにおける複合格子点照度は、０．１２となる。したがって、中央の格子点Ｇｃの光源と格子点Ｇｕ１，Ｇｕ２の各光源とを同時に定格出力で点灯させた場合、中央の格子点Ｇｃにおける複合格子点照度は、１．１２となり、格子点Ｇｕ１，Ｇｕ２における複合格子点照度は、１．０６となる。
【０１６６】
このように、中央の格子点Ｇｃが、格子点Ｇｕ１，Ｇｕ２の遠方光源によって受ける余剰照度は、０．１２であることから、中央の格子点Ｇｃにおける単一格子点照度「１」から、格子点Ｇｕ１，Ｇｕ２の遠方光源からの余剰照度「０．１２」を減算することによって、中央の格子点Ｇｃの調光比を算出する。このような減算処理により、中央の格子点Ｇｃの調光比は、０．８８と算出される（図２１参照）。
【０１６７】
得られた調光比で中央の格子点Ｇｃの光源を点灯させるとともに、格子点Ｇｕ１，Ｇｕ２の各光源を定格出力で点灯させた場合、中央の格子点Ｇｃにおける複合格子点照度は、１となり、格子点Ｇｕ１，Ｇｕ２における複合格子点照度は、１．０５となる。
【０１６８】
このように、注目格子点の単一格子点照度から遠方光源による余剰照度を減算する減算処理を行って、注目格子点の調光比を算出することによれば、余剰照度を減らしつつ、注目格子点における複合格子点照度を１にすることができる。
【０１６９】
［２−２．調光動作］
次に、調光システム１Ｂにおける調光動作について説明する。図２２および図２３は、調光システム１Ｂにおける調光動作の第１態様を示す図である。図２４は、第１態様の調光動作によって取得された調光比でシミュレーションした場合の照度分布を示す図である。
【０１７０】
調光システム１Ｂにおける調光動作では、まず、上記第１実施形態と同様の平均化処理を用いた調光比の算出処理が一通り実行される。
【０１７１】
具体的には、図２２の例では、在席箇所は、格子点Ｇ１１，Ｇ２１，Ｇ３１，Ｇ１２，Ｇ２２，Ｇ３２，Ｇ１３，Ｇ２３，Ｇ３３となっている。
【０１７２】
このような在席状況に基づいて、オフィス内の点灯光源は、格子点Ｇ００，Ｇ１０，Ｇ２０，Ｇ３０，Ｇ４０，Ｇ０１，Ｇ１１，Ｇ２１，Ｇ３１，Ｇ４１，Ｇ０２，Ｇ１２，Ｇ２２，Ｇ３２，Ｇ４２，Ｇ０３，Ｇ１３，Ｇ２３，Ｇ３３，Ｇ４３，Ｇ０４，Ｇ１４，Ｇ２４，Ｇ３４，Ｇ４４に位置する２５個の光源と決定される。
【０１７３】
そして、９灯を１グループとしたグループごとに、平均化処理を用いて、各点灯光源について調光比の算出処理が行われる。図２２の例では、格子点Ｇ１１に位置する照明を中心としたグループ、格子点Ｇ２１に位置する光源を中心としたグループ、格子点Ｇ３１に位置する光源を中心としたグループ、格子点Ｇ１２に位置する光源を中心としたグループ、格子点Ｇ２２に位置する光源を中心としたグループ、格子点Ｇ３２に位置する光源を中心としたグループ、格子点Ｇ１３に位置する光源を中心としたグループ、格子点Ｇ２３に位置する光源を中心としたグループ、および格子点Ｇ３３に位置する光源を中心としたグループそれぞれについて、この順序で平均化処理を用いた調光比の算出処理が行われる。
【０１７４】
平均化処理を用いた調光比の算出処理により、格子点Ｇ１０，Ｇ２０，Ｇ３０，Ｇ１４，Ｇ２４，Ｇ３４の各光源の調光比は、いずれも０．６４と算出される（図２２）。すなわち、Ｒ（Ｇ１０）＝Ｒ（Ｇ２０）＝Ｒ（Ｇ３０）＝Ｒ（Ｇ１４）＝Ｒ（Ｇ２４）＝Ｒ（Ｇ３４）＝０．６４となる。また、格子点Ｇ０１，Ｇ０２，Ｇ０３，Ｇ４１，Ｇ４２，Ｇ４３の各光源の調光比は、いずれも０．５９と算出される（図２２）。すなわち、Ｒ（Ｇ０１）＝Ｒ（Ｇ０２）＝Ｒ（Ｇ０３）＝Ｒ（Ｇ４１）＝Ｒ（Ｇ４２）＝Ｒ（Ｇ４３）＝０．５９となる。
【０１７５】
このように、調光システム１Ｂにおける調光動作では、上記第１実施形態と同様の平均化処理を用いた調光比の算出処理が一通り実行され、各光源の調光比が一旦算出される。
【０１７６】
そして、平均化処理を用いた調光比の算出処理が終了すると、調光情報生成部は、減算処理を用いた調光比の算出処理を実行する。
【０１７７】
減算処理を用いた調光比の算出処理では、まず、上記各グループにおいて、グループ内の全ての格子点で在席となる特定グループ（「全在席グループ」とも称する）が存在するか否かが判定される。
【０１７８】
そして、グループ内の全ての格子点で在席となる特定グループが存在する場合、当該特定グループ内の中心格子点における光源を、減光対象の光源として、減算処理を用いた調光比の算出処理が施される。
【０１７９】
すなわち、調光情報生成部は、在席箇所に応じて設定される各グループにおいて、グループ内の全ての格子点で在席となる特定グループが存在するか否かを判定する判定手段としての機能と、特定グループ内の中心格子点の光源の調光比を、減算処理を用いて算出する第２調光処理手段としての機能とを有している。
【０１８０】
例えば、図２３の例では、在席箇所が、格子点Ｇ１１，Ｇ２１，Ｇ３１，Ｇ１２，Ｇ２２，Ｇ３２，Ｇ１３，Ｇ２３，Ｇ３３となっているため、格子点Ｇ２２に位置する光源を中心としたグループが特定グループＲＰｓとなる。そして、特定グループＲＰｓ内の中心格子点Ｇ２２の光源が減光対象の光源となり、当該格子点Ｇ２２の光源に対して減算処理を用いた調光比の算出処理が施されることになる。
【０１８１】
減算処理を用いた調光比の算出処理では、まず、特定グループＲＰｓ内のいずれかの光源に隣接する、当該特定グループＲＰｓ外の各光源（グループ隣接光源）から受ける照度を加算したときの格子点Ｇ２２における照度（累積格子点照度）が算出される。
【０１８２】
具体的には、格子点Ｇ２２における累積格子点照度Ｆ（Ｇ２２）は、単一格子点照度Ｌ（Ｇｘｙ）と、平均化処理を用いて上記で算出した各格子点の調光比Ｒ（Ｇｘｙ）とを用いて、式（１９）のように表される。
【０１８３】
【数１９】
2013232294.tif 000021
【０１８４】
式（１９）より、格子点Ｇ２２における累積格子点照度Ｆ（Ｇ２２）は、０．６９となる。
【０１８５】
格子点Ｇ２２における光源の調光比Ｒ（Ｇ２２）は、格子点Ｇ２２における単一格子点照度Ｌ（Ｇ２２）から格子点Ｇ２２における累積格子点照度Ｆ（Ｇ２２）を引く式（２０）の演算を行って、１−０．６９＝０．３１と算出される。
【０１８６】
【数２０】
2013232294.tif 000022
【０１８７】
このように調光システム１Ｂにおける調光動作では、平均化処理を用いた調光比の算出処理が一通り実行され、各光源の調光比が一旦算出された後、減算処理を用いた調光比の算出処理が実行される。そして、減算処理を用いた調光比の算出処理により、格子点Ｇ２２の点灯光源の調光比は、０．３１と算出され、図２３に示されるように、格子点Ｇ２２の点灯光源は、調光比０．３１で点灯されることになる。
【０１８８】
調光システム１Ｂにおける第１態様の調光動作によって取得された調光比でシミュレーションした場合、照度の分布は、図２４の様になり、中央の９つの在席箇所では、作業に適した最適な照度（７５０ｌｘ）が得られていることがわかる。
【０１８９】
次に、調光システム１Ｂにおける調光動作の第２態様について説明する。図２５は、調光動作の第２態様を示す図である。図２６は、第２態様の調光動作によって取得された調光比でシミュレーションした場合の照度分布を示す図である。
【０１９０】
図２５の例では、在席箇所は、格子点Ｇ１１，Ｇ２１，Ｇ３１，Ｇ４１，Ｇ５１，Ｇ１２，Ｇ２２，Ｇ３２，Ｇ４２，Ｇ５２，Ｇ１３，Ｇ２３，Ｇ３３，Ｇ４３，Ｇ５３，Ｇ１４，Ｇ２４，Ｇ３４，Ｇ４４，Ｇ５４，Ｇ１５，Ｇ２５，Ｇ３５，Ｇ４５，Ｇ５５となっている。
【０１９１】
図２６における、点灯光源は、格子点Ｇ００，Ｇ１０，Ｇ２０，Ｇ３０，Ｇ４０，Ｇ５０，Ｇ６０，Ｇ０１，Ｇ１１，Ｇ２１，Ｇ３１，Ｇ４１，Ｇ５１，Ｇ６１，Ｇ０２，Ｇ１２，Ｇ２２，Ｇ３２，Ｇ４２，Ｇ５２，Ｇ６２，Ｇ０３，Ｇ１３，Ｇ２３，Ｇ３３，Ｇ４３，Ｇ５３，Ｇ６３，Ｇ０４，Ｇ１４，Ｇ２４，Ｇ３４，Ｇ４４，Ｇ５４，Ｇ６４，Ｇ０５，Ｇ１５，Ｇ２５，Ｇ３５，Ｇ４５，Ｇ５５，Ｇ６５，Ｇ０６，Ｇ１６，Ｇ２６，Ｇ３６，Ｇ４６，Ｇ５６，Ｇ６６に位置する４９個の光源となる。
【０１９２】
これらの点灯光源に対して、まず、平均化処理を用いた調光比の算出処理がグループ単位で行われる。
【０１９３】
平均化処理を用いた当該算出処理により、格子点Ｇ１０，Ｇ２０，Ｇ３０，Ｇ４０，Ｇ５０，Ｇ１６，Ｇ２６，Ｇ３６，Ｇ４６，Ｇ５６の各光源の調光比は、いずれも０．６４と算出される（図２５）。また、格子点Ｇ０１，Ｇ０２，Ｇ０３，Ｇ０４，Ｇ０５，Ｇ６１，Ｇ６２，Ｇ６３，Ｇ６４，Ｇ６５の各光源の調光比は、いずれも０．５９と算出される（図２５）。
【０１９４】
このように、調光システム１Ｂにおける調光動作では、上記第１実施形態と同様の平均化処理を用いた調光比の算出処理が一通り実行され、各光源の調光比が一旦算出される。
【０１９５】
そして、平均化処理を用いた調光比の算出処理が終了すると、減算処理を用いた調光比の算出処理が実行される。
【０１９６】
減算処理を用いた調光比の算出処理では、まず、平均化処理を用いた調光比の算出処理を行った各グループにおいて、グループ内の全ての格子点で在席となる特定グループ（「全在席グループ」とも称する）が存在するか否かが判定される。
【０１９７】
そして、グループ内の全ての格子点で在席となる特定グループが存在する場合、当該特定グループ内の中心格子点における光源を、減光対象の光源として、減算処理を用いた調光比の算出処理が行われる。
【０１９８】
なお、特定グループが存在するか否かの判定は、左上の格子点から右下の格子点まで順次ラスター順で行われ、特定グループが発見される度に、発見された特定グループに対して減算処理が施されることになる。また、一旦減算処理が施された場合、減算処理が施された光源の格子点は、離席扱いとなる。すなわち、減算処理が施された光源を含むグループは、非特定グループとなり、減算処理の対象から除外される。
【０１９９】
図２５の例では、在席箇所が、格子点Ｇ１１，Ｇ２１，Ｇ３１，Ｇ４１，Ｇ５１，Ｇ１２，Ｇ２２，Ｇ３２，Ｇ４２，Ｇ５２，Ｇ１３，Ｇ２３，Ｇ３３，Ｇ４３，Ｇ５３，Ｇ１４，Ｇ２４，Ｇ３４，Ｇ４４，Ｇ５４，Ｇ１５，Ｇ２５，Ｇ３５，Ｇ４５，Ｇ５５となっている。
【０２００】
このため、格子点Ｇ２２に位置する光源を中心としたグループが特定グループＲＰｓとなり、当該特定グループＲＰｓ内の中心格子点Ｇ２２の光源を減光対象の光源とした減算処理が施される。
【０２０１】
格子点Ｇ２２の光源に対する減算処理後は、格子点Ｇ２２は離席扱いとなるため、当該格子点Ｇ２２の光源を含むグループは、非特定グループとなる。例えば、格子点Ｇ３２の光源を中心としたグループは、離席扱いの格子点Ｇ２２を含んでいるため、非特定グループとなり、減算処理の対象から除外される。
【０２０２】
次に、格子点Ｇ４２の光源を中心としたグループが特定グループとなり、当該特定グループ内の中心格子点Ｇ４２の光源を減光対象の光源とした減算処理が施される。
【０２０３】
以後、格子点Ｇ２４の光源を中心としたグループ、および格子点Ｇ４４の光源を中心としたグループがそれぞれ特定グループとなり、これら２つの特定グループについて減算処理が施されることになる。
【０２０４】
なお、第２態様では、減算処理の演算を簡単化するために、上記第１態様において、減算処理を用いた調光比の算出処理により得られた調光比０．３１を、減算処理によって得られる基本的な値として用いている。すなわち、上記第１態様で減算処理によって算出した調光比０．３１を、格子点Ｇ２２，Ｇ４２，Ｇ２４，Ｇ４４の調光比に一様に適用している。
【０２０５】
すなわち、減算処理を用いた調光比の算出処理により、格子点Ｇ２２，Ｇ４２，Ｇ２４，Ｇ４４の各点灯光源の調光比は、０．３１と算出され、図２５に示されるように、格子点Ｇ２２，Ｇ４２，Ｇ２４，Ｇ４４の各点灯光源は、調光比０．３１で点灯されることになる。
【０２０６】
調光システム１Ｂにおける第２態様の調光動作によって取得された調光比でシミュレーションした場合、照度の分布は、図２６の様になり、中央の２５個の在席箇所では、作業に適した最適な照度（７５０ｌｘ）が得られていることがわかる。
【０２０７】
以上のように、調光システム１Ｂにおける調光動作では、平均化処理を用いた調光比の算出処理が一通り実行され、各光源の調光比が一旦算出された後、減算処理を用いた調光比の算出処理が実行される。このように、平均化処理を用いた調光比の算出処理に加えて、減算処理を用いた調光比の算出処理を行うことによれば、在席箇所の作業面において、適正な照度を維持しつつ、点灯光源をさらに減光することができるので、快適な照明環境を損なうことなく、照明装置１０の消費電力をさらに低減することが可能になる。
【０２０８】
＜３．変形例＞
以上、調光システム１Ａ，１Ｂの各実施形態について説明したが、この発明は、上記に説明した内容に限定されるものではない。
【０２０９】
例えば、上記各実施形態では、在席状況の検出を人感センサー３０を用いて検出していたが、これに限定されない。
【０２１０】
具体的には、在席状況の検出を、各作業面に配置されたＰＣの操作状況を用いて、ＬＡＮ経由で取得し、全体制御装置５０において、当該ＰＣの操作状況に基づいて在席状況を検出するようにしてもよい。また、各作業面に配置された各ＰＣにパッシブセンサー（赤外線センサー）を設け、当該パッシブセンサーを用いて、在席状況を検出するようにしてもよい。また、各座席に圧センサーを設置し、当該圧センサーを用いて、在席状況を検出するようにしてもよい。
【０２１１】
また、上記各実施形態では、９灯１グループを基本制御単位として調光制御を行っていたが、これに限定されず、５×５のブロックに含まれる２５灯１グループを基本制御単位として調光制御を行ってもよい。
【０２１２】
また、上記各実施形態では、直管形の照明ＣＬを点光源として扱う場合を例示していたが、これに限定されない。例えば、ＬＥＤランプでは、正方形状、円形状の照明も存在するが、これらの照明も点光源として扱うことができる。なお、正方形状または円形状の各照明を点光源としたときの各作業面における照度は、上述のように、例えば、配光曲線を用いた逐点法によって算出することができる。
【０２１３】
本発明は詳細に説明されたが、上記した説明は、すべての局面において、例示であって、本発明がそれに限定されるものではない。例示されていない無数の変形例が、本発明の範囲から外れることなく想定され得るものと解される。
【符号の説明】
【０２１４】
１Ａ，１Ｂ  調光システム
１０  照明装置
１１  照明器具
１２  通信制御モジュール
１５  電力線
３０  人感センサー
３１  通信モジュール
５０  全体制御装置
５１  通信制御部
５２  ＣＰＵ（調光情報生成部）
５３  メモリ 
【図１】
2013232294.tif 000023
【図２】
2013232294.tif 000024
【図３】
2013232294.tif 000025
【図４】
2013232294.tif 000026
【図５】
2013232294.tif 000027
【図６】
2013232294.tif 000028
【図７】
2013232294.tif 000029
【図８】
2013232294.tif 000030
【図９】
2013232294.tif 000031
【図１０】
2013232294.tif 000032
【図１１】
2013232294.tif 000033
【図１２】
2013232294.tif 000034
【図１３】
2013232294.tif 000035
【図１４】
2013232294.tif 000036
【図１５】
2013232294.tif 000037
【図１６】
2013232294.tif 000038
【図１８】
2013232294.tif 000039
【図２０】
2013232294.tif 000040
【図２１】
2013232294.tif 000041
【図２２】
2013232294.tif 000042
【図２３】
2013232294.tif 000043
【図２５】
2013232294.tif 000044
【図１７】
2013232294.tif 000045
【図１９】
2013232294.tif 000046
【図２４】
2013232294.tif 000047
【図２６】
2013232294.tif 000048